(57)【特許請求の範囲】
【請求項１】
前面板と両側面板と背面板とを備えた角筒状体からなり、前記前面板に棚部前板を上下方向に適宜間隔で複数設け、前記前面板ないしは前記前面板と前記両側面板に、前記棚部前板の上縁の両端間を連結する閉環状切目を設けることにより、前記棚部前板の上縁にそれぞれ折罫を介して連接された棚部前内面板と棚部底板と棚部後面板からなる棚板を形成し、前記背面板に上方を向く係止片を形成し、前記前面板と前記両側面板の最上部には前記閉環状切目ないしは該閉環状切目に連結する水平方向の切目がそれぞれ前記両側面板の幅方向中央部に達し、前記閉環状切目ないしは該閉環状切目に連結した水平方向の切目より上部の前記両側面板の幅方向中央部に折罫を形成してなり、前記棚部後面板を上方に折り曲げ前記棚部前内面板を内側へ折り曲げ棚部底板を上側へ折り曲げて棚部を形成して前記棚部底板と前記棚部後面板間の折罫に形成された切込に前記係止片を挿入することにより棚部を係止して支持し、前記前面板と前記両側面板の最上部で前記前面板を前記閉環状切目ないしは該閉環状切目に連結する水平方向の切目と前記前面板を形成する折罫と前記両側面板の幅方向中央部の折罫とを用いて前記背面板に重ね合せた構成からなることを特徴とする吊下展示用紙容器。
【請求項２】
前記角筒状体の断面形状が４角形状である４角筒状体とし、前記棚部底板の形状を前記４角筒状体の断面と同じ４角形状とした構成からなることを特徴とする請求項１記載の吊下展示用紙容器。
【請求項３】
前記角筒状体の前記両側面板を前側面板と後側面板にて構成して、前記角筒状体の断面形状が６角形状である６角筒状体とし、前記棚部底板の形状を前記６角筒状体の断面と同じ６角形状とした構成からなることを特徴とする請求項１記載の吊下展示用紙容器。
【発明の詳細な説明】
【０００１】
【発明の属する技術分野】
本発明は、商品を収納して吊り下げて展示するための紙容器に関する。
【０００２】
【従来の技術】
従来、吊下展示用紙容器としては、実開平５−４１４６７号公報に記載されているような、基板の両側縁に左右側板の後端縁を連接し、左右側板の前端縁に棚部前板を連接するとともに、棚部前板を上下方向に沿って適宜間隔で複数設け、棚部前板の下端縁に棚部底板の前端縁を連接し、棚部前板の後端縁に、基板に設けた係止孔に係脱可能に係止する係止片を連接し、適宜商品を収容可能な棚部前板と棚部底板とからなる棚部を、基板の前面側に上下方向に沿って適宜間隔で複数設けたデイスプレー兼用収容箱が知られている。
しかしながら、上記のデイスプレー兼用収容箱における棚部は、棚部前板の下端縁に棚部底板の前端縁が連接され、棚部底板の後端縁に突出した係止片を形成し、基板に設けた係止孔に係脱可能に係止して棚部を保持している構成であるので、デイスプレー兼用収容箱に重い商品を収容した場合に係止片が係止孔から外れて棚部が脱落するおそれがあるとともに、棚部を組み立てた状態で係止片の先端部が基板の裏面から突き出した状態となるので、このデイスプレー兼用収容箱を壁面等に沿わして吊り下げた際に、係止片の基板の裏面に突き出した部分が押されて係止孔から外れて棚部が脱落するおそれがあるという欠点がある。
【０００３】
【発明が解決しようとする課題】
本発明の目的は、棚部を組み立てた状態において棚部が確実に保持されるので重い商品を収容して壁面に沿わして吊り下げた場合でも棚部が脱落するおそれがない吊下展示用紙容器を提供することである。
【０００４】
【課題を解決するための手段】
前面板と両側面板と背面板とを備えた角筒状体からなり、前面板に棚部前板を上下方向に適宜間隔で複数設け、前面板ないしは前面板と両側面板に、棚部前板の上縁の両端間を連結する閉環状切目を設けることにより、棚部前板の上縁にそれぞれ折罫を介して連接された棚部前内面板と棚部底板と棚部後面板からなる棚板を形成し、背面板に上方を向く係止片を形成し、前面板と両側面板の最上部には閉環状切目ないしは閉環状切目に連結する水平方向の切目がそれぞれ両側面板の幅方向中央部に達し、閉環状切目ないしは閉環状切目に連結した水平方向の切目より上部の両側面板の幅方向中央部に折罫を形成してなり、棚部後面板を上方に折り曲げ棚部前内面板を内側へ折り曲げ棚部底板を上側へ折り曲げて棚部を形成して棚部底板と棚部後面板間の折罫に形成された切込に係止片を挿入することにより棚部を係止して支持し、前面板と両側面板の最上部で前面板を閉環状切目ないしは閉環状切目に連結する水平方向の切目と前面板を形成する折罫と両側面板の幅方向中央部の折罫とを用いて背面板に重ね合せた構成とすることにより、簡単に組み立てることができ、組み立てた状態で背面板に形成された上方を向く半円状の係止片を、棚部底板と棚部後面板の折罫に形成された切込に挿入することにより係止した状態で棚板を確実に保持できるので、棚部に重い商品を収容して吊下展示用紙容器を壁面に沿わして吊り下げた場合でも係止部が外れて棚部が脱落するおそれがない。また、板紙素材を打ち抜いて作製された４角形状のブランク板を折り曲げて筒貼りするだけの簡単な工程で作製できるとともに、板紙素材の取り都合が良いのでコストダウンが可能となる。
【０００５】
上記の吊下展示用紙容器において、角筒状体を断面形状が４角形状である４角筒状体とし、棚部底板の形状を４角筒状体の断面と同じ４角形状とした構成とすることにより、直方体状の製品を収納して展示するのに適した棚部を有する吊下展示用紙容器とすることができる。
【０００６】
上記の吊下展示用紙容器において、角筒状体の両側面板を前側面板と後側面板にて構成して、角筒状体を断面形状が６角形状である６角筒状体とし、棚部底板の形状を６角筒状体の断面と同じ６角形状とした構成とすることにより、円筒状の製品を収納した場合に側板が製品に沿う形状となるとともに、角張らないのでコンパクトな外観を有する吊下展示用紙容器とすることができる。
【０００７】
【発明の実施の形態】
以下、図面に基づいて本発明の実施の形態を説明する。
図１は本発明の第１実施形態の組み立てた状態を示す斜視図、図２は本発明の第１実施形態のブランク板を示す平面図、図３は本発明の第１実施形態のブランク板を筒貼りした状態を示す（イ）は平面図で（ロ）は底面図、図４は本発明の第２実施形態のブランク板を示す平面図、図５は本発明の第３実施形態のブランク板を示す平面図、図６は本発明の第４実施形態のブランク板を示す平面図であって、１は背面板、２，４は側面板、2a, 4aは後側面板、2b, 4bは前側面板、３は前面板、５は接着板、６は係止片、７は切込、８は吊下孔、11, 12, 12', 13, 14, 15, 15', 16は折罫、21a, 21b, 22a, 22b, 23, 24a, 24bは切目、23', 25a, 25b,26a, 26b, 27a, 27b, 28a, 28bは切目、31は棚部前板、32は棚部前内板、33, 33', 35, 35'は棚部底板、34は棚部後面板、41, 42, 43は折罫、44a, 44b, 45a, 45b, 46a, 46bは折罫をそれぞれ表す。
【０００８】
本発明の第１実施形態は、図２に示すブランク板を筒貼りし、図３に示す折り畳んだ状態とした後に、組み立てることにより作製される図１に示すとおりの吊下展示用紙容器であって、背面板１と後側面板２ａと前側面板２ｂと前面板３と前側面板４ｂと後側面板４ａとを有する断面が６角形状の６角筒状体からなり、前面板３に棚部前板３１を上下方向に適宜間隔で３個設け、前面板３と前側面板２ｂ、４ｂと後側面板２ａ、４ａに、棚部前板３１の上縁の両端間を連結する閉環状切目を設けて、棚部前板３１の上縁にそれぞれ折罫を介して連接された棚部前内面板３２と棚部底板３３と棚部後面板３４からなる棚板を区画形成し、形成された棚板を折罫にて折り曲げて棚部を形成して、棚部底板３３と棚部後面板３４間の折罫４３に形成された切込７に、背面板１の棚部前板３１の下縁と対応する位置に上方を向く半円状に形成された係止片６を挿入して棚部を係止し保持した構成である。この構成の場合、棚部は棚部底板３３と棚部後面板３４間の切込７に、背面板１に形成された係止片６を差し込んで係止し保持しているので、棚部の強度が優れるとともに、背面板１の後に係止片６が突出することがなく壁面等に沿わして吊り下げることができる。また、側面板が大きく切り欠かれており棚部に収納する商品の上部側面を見せることができるので展示効果が優れたものとなる。なお、本発明の実施形態において、形成する棚部の数、上下方向の棚部の間隔に関しては、吊下展示用紙容器の上下方向の長さ、収納する製品の大きさにより適宜決めればよいものである。
【０００９】
本発明の第１実施形態のブランク板は、図２に示すとおり、背面板１と後側面板２ａと前側面板２ｂと前面板３と前側面板４ｂと後側面板４ａと接着板５とが、それぞれ折罫１１と折罫１２と折罫１３と折罫１４と折罫１５と折罫１６を介して連接され、前面板３には３個の棚部前板３１が上下方向に適宜間隔をおいて設けられ、棚部前板３１の上縁の両端を結ぶ、垂直方向の切目２１ａと曲線状の切目２４ａと水平方向の切目２３と曲線状の切目２４ｂと垂直方向の切目２１ｂからなる閉環状切目により、棚部前板３１の上縁にそれぞれ折罫４１と折罫４２と折罫４３を介して連接された棚部前内面板３２と棚部底板３３と棚部後面板３４からなり、棚部後面板３４の両側に切目２２ａおよび切目２２ｂが形成されるとともに棚部底板３３の両側に折罫４４ａおよび折罫４４ｂを介して折罫４５ａおよび折罫４５ｂを有する折り曲げ片が連接された棚板が区画形成されており、前面板３には左右方向の中央部に上下方向に適宜間隔をおいて棚部前板３１の下縁に対応する位置に３箇所の上方を向く半円状の係止片６が形成され、背面板１と前面板３の上部にはそれぞれ吊下孔８が形成された形状である。
【００１０】
図２に示すブランク板を折罫12と折罫15にて折り曲げて、背面板１の側端部と接着板５を接着して筒貼りすることにより、図３（イ）、（ロ）に示す折り畳んだ状態となる。本発明の吊下展示用紙容器はこの折り畳んだ状態で保管ないし輸送されるので嵩張ることがなくきわめて取扱いが容易である。この折り畳んだ状態から６角筒状に起こし、棚板を折り曲げて棚部を組み立て係止片６にて係止して棚部を保持することにより、図１に示す第１実施形態の吊下展示用紙容器ができ上がる。
【００１１】
図３（イ）、（ロ）に示す折り畳んだ状態から組み立てるには、折罫１１と折罫１３と折罫１４と折罫１６にて折り曲げて、背面板１と後側面板２ａと前側面板２ｂと前面板３と前側面板４ｂと後側面板４ａを起こし６角筒状とした後に、３箇所の棚板を、棚部底板３３の側端部を折罫４４ａ、４４ｂと折罫４５ａ、４５ｂにて上側に折り曲げるとともに折罫４３にて棚部後面板３４を上方に折り曲げ、折罫４１にて棚部前内面板３２を内側へ折り曲げ、折罫４２にて棚部底板３３を上側へ折り曲げて棚部を形成し、棚部底板３３と棚部後面板３４間の折罫４３の中央部に形成された切込７に、背面板１に上向きの半円状に形成された係止片６を差し込んで保持することにより棚部の組み立てを行い、曲線状の切目２４ａと水平方向の切目２３と曲線状の切目２４ｂにより区画された前側面板２ｂと前面板３と前側面板４ｂとを折罫１２、１３、１４、１５にてそれぞれ後側面板２ａと背面板１と後側面板４ａ面に重ね合せて上部を開放した状態とし、吊下展示用紙容器の組み立てが完了する。この状態で棚部に製品を収納して吊下孔８に紐を通して吊り下げて展示することができる。
【００１２】
本発明の第１実施形態では、全体が６角筒状であり棚部底板33が６角形状であるので、円筒状の製品を収納した場合に棚部の両側が製品に沿った状態となり、外形がコンパクトで角張らない形状となっているとともに、前側面板2bと前側面板4bにそれぞれ後側面板2aと後側面板2bに達する曲線状の切目24a と切目24b により側面板が大きく切り欠かれているので、棚部に収納した商品の上部を側面からも見ることができ優れた展示効果が得られるものである。
【００１３】
本発明の第２実施形態のブランク板は、図４に示すとおり、それぞれの棚部前板31の上縁に、棚部前板31の上縁の両端を結ぶ、垂直方向の切目21a と角状の切目25a と垂直方向の切目22a と水平方向の切目23と垂直方向の切目22b と角状の切目25b と垂直方向の切目21b からなる閉環状切目により、棚部前板31の上縁にそれぞれ折罫41と折罫42と折罫43を介して連接された棚部前内面板32と棚部底板33' と棚部後面板34とからなる棚板が区画形成されており、角状の切目25a および切目25b の頂部と前側面板2b,4b と後側面板2a,4a 間の折罫を結ぶ水平方向の切目28a および切目28b が形成された形状である。第２実施形態の組み立てた状態は、全体が６角筒状体であり棚部底板33' の形状は６角筒状体の断面と同じ６角形状であり、側面板の切り欠かれた形状が異なる以外は第１実施形態と同じ効果が得られるものである。
【００１４】
本発明の第３実施形態のブランク板は、図５に示すとおりであり、背面板１と側面板２と前面板３と側面板４と接着板５とが折罫を介して連接され、前面板３には３個の棚部前板３１が上下方向に適宜間隔をおいて設けられ、それぞれの棚部前板３１の上縁に、棚部前板３１の上縁の両端を結ぶ、垂直方向の切目２１ａと円弧状の切目２６ａと垂直方向の切目２２ａと水平方向の切目２３と垂直方向の切目２２ｂと円弧状の切目２６ｂと垂直方向の切目２１ｂからなる閉環状切目により、棚部前板３１の上縁にそれぞれ折罫４１と折罫４２と折罫４３を介して連接された棚部前内面板３２と棚部底板３５と棚部後面板３４からなり、棚部底板３５の両側に折罫４６ａおよび折罫４６ｂを介して折曲片が連接された棚板が区画形成されており、最上部の水平方向の切目２３が側面板２と側面板４の幅方向の中央に達する長い水平方向の切目２３’とされ、切目２３’より上部の側面板２、４の幅方向の中央部に折罫１２’、１５’が形成された形状である。第３実施形態の組み立てた状態は、全体が４角筒形状であり棚部底板３５の形状は４角筒状体の断面と同じ４角形状となるものであって、直方体状の製品を収納するのに適した棚部の形状となっている。
【００１５】
本発明の第４実施形態のブランク板は、図６に示すとおりであり、それぞれの棚部前板31の上縁に、棚部前板31の上縁の両端を結ぶ、垂直方向の切目21a と垂直方向の切目27a と垂直方向の切目22a と水平方向の切目23と垂直方向の切目22b と垂直方向の切目27b と垂直方向の切目21b からなる閉環状切目により、棚部前板31の上縁にそれぞれ折罫41と折罫42と折罫43を介して連接された棚部前内面板32と棚部底板35' と棚部後面板34からなる棚板が区画形成されている形状である。第３実施形態の組み立てた状態は、全体が４角筒状体であり棚部底板35' が４角形状をなしており、第３実施形態と同じ効果が得られるものである。なお、第１、第２、第３、第４実施形態において係止片６を挿入する切目７は棚部底板33,33',35,35' と棚部後面板34間の折罫43の箇所に形成されているが、切目を棚部後面板34に形成した構成としてもよい。
【００１６】
本発明の実施形態の吊下展示用紙容器を作製するための素材としては、剛性の優れた板紙の単体ないしは板紙とプラスチック層との積層体が使用できる。板紙としては坪量が３００〜６００ｇ／ｍ2 の厚いものが好ましい。板紙とプラスチック層との積層体としてと、板紙の表面にポリプロピレン、ポリエチレンテレフタレート等のプラスチックフィルムを積層したもの、板紙の表面にプラスチック層をコーテイングしたものを使用することもできる。この場合は、表面光沢および印刷効果が良くなるので優れた展示効果が得られる。絵柄層は板紙の外面に形成される。
【００１７】
本発明の吊下展示用紙容器は、板紙素材をブランク板の形状に打ち抜いて、筒貼りするだけの簡単な工程にて製造できるとともに、ブランク板が４角形状であって板紙素材の取り都合が良く板紙素材のロスが少なくなるのでコストダウンが可能となる。また、折り畳んだ状態で保管、輸送が可能であるので嵩を取らず取扱いがきわめて容易であり、使用時に簡単に組み立てることができる。更に、本発明の吊下展示用紙容器は板紙製であり、従来から使用されているプラスチック製ないしは金属ワイヤー製の吊下展示用容器と比較して、使用済み品の廃棄が容易であり環境面で優れたものとなる。
【００１８】
【発明の効果】
前面板と両側面板と背面板を備えた角筒状体からなり、前面板に棚部前板を上下方向に適宜間隔で複数設け、前面板ないしは前面板と両側面板に、棚部前板の上縁の両端間を連結する閉環状切目を設けることにより、棚部前板の上縁にそれぞれ折罫を介して連接された棚部前内面板と棚部底板と棚部後面板からなる棚板を形成し、背面板に上方を向く係止片を形成し、棚板を折り曲げて棚部を形成して棚部底板と棚部後面板間の折目に形成された切込に係止片を挿入することにより棚部を係止して支持した構成とすることにより、簡単に組み立てることができ、組み立てた状態で背面板に形成された上方を向く半円状の係止片を、棚部底板と棚部後面板間の折目に形成された切込に挿入することにより係止した状態で棚板を確実に保持できるので、棚部に重い商品を収容して吊下展示用紙容器を壁面に沿わして吊り下げた場合でも係止部が外れて棚部が脱落するおそれがない。また、板紙素材を打ち抜いて作製された４角形状のブランク板を折り曲げて筒貼りするだけの簡単な工程で作製できるとともに、板紙素材の取り都合が良いのでコストダウンが可能となる。
上記の吊下展示用紙容器において、角筒状体を断面形状が４角形状である４角筒状体とし、棚部底板の形状を４角筒状体の断面と同じ４角形状とした構成とすることにより、直方体状の製品を収納して展示するのに適した棚部を有する吊下展示用紙容器とすることができる。また、角筒状体の両側面板を前側面板と後側面板にて構成して、角筒状体を断面形状が６角形状である６角筒状体とし、棚部底板の形状を６角筒状体の断面と同じ６角形状とした構成とすることにより、円筒状の製品を収納した場合に側板が製品に沿う形状となるとともに、角張らないのでコンパクトな外観を有する吊下展示用紙容器とすることができる。
【図面の簡単な説明】
【図１】本発明の第１実施形態の組み立てた状態を示す斜視図。
【図２】本発明の第１実施形態のブランク板を示す平面図。
【図３】本発明の第１実施形態のブランク板を筒貼りした状態を示す（イ）は平面図で（ロ）は底面図。
【図４】本発明の第２実施形態のブランク板を示す平面図。
【図５】本発明の第３実施形態のブランク板を示す平面図。
【図６】本発明の第４実施形態のブランク板を示す平面図。
【符号の説明】
１  背面板
２，４  側面板
2a, 4a  後側面板
2b, 4b  前側面板
３  前面板
５  接着板
６  係止片
７  切込
８  吊下用孔
11, 12, 12', 13, 14, 15, 15', 16  折罫
21a, 21b, 22a, 22b, 23, 24a, 24b  切目
23', 25a, 25b, 26a, 26b, 27a, 27b, 28a, 28b   切目
31  棚部前板
32  棚部前内板
33, 33', 35, 35'  棚部底板
34  棚部後面板
41, 42, 43  折罫
44a, 44b, 45a, 45b, 46a, 46b  折罫
【図１】
0004447088.tif 000002
【図２】
0004447088.tif 000003
【図３】
0004447088.tif 000004
【図４】
0004447088.tif 000005
【図５】
0004447088.tif 000006
【図６】
0004447088.tif 000007